(57)【要約】      （修正有）【課題】２つの支え台と、支え台に設ける制御装置とを備える温水洗浄便座の補助ラックを提供する。【解決手段】２つの支え台２は釣り合って温水洗浄便座６の両側に設けられ、それぞれの支え台２の下方側に支え棒２１を有しており、支え棒２１を肘掛け２２に接続し、制御装置５をヒンジ２２１または固定方式により、肘掛け２２に接続し、温水洗浄便座６を電気接続させることによって、使用者に補助ラック２０から温水洗浄便座６の噴水を起動または停止、及び噴水量と温度等の温水洗浄機能の調節制御を提供することができ、操作がよりスムーズになり、全体の実用性を向上できる。【選択図】図３
0003206513.tif 000002
【実用新案登録請求の範囲】
【請求項１】
温水洗浄便座の補助ラックであって、
温水洗浄便座の両側に釣り合って設けられる２つの支え台と、前記２つの支え台の間に設けられる一つの背もたれ具とを、備え、
前記２つの支え台の下方側に支え棒を設け、前記それぞれの支え台が前記支え棒にて肘掛けを接続し、前記肘掛けに温水洗浄機能を起動する制御装置を設け、前記制御装置を温水洗浄便座と電気接続することを特徴とする、温水洗浄便座の補助ラック。
【請求項２】
前記制御装置は、ヒンジによって、前記支え台の前記肘掛けに接続することを特徴とする、請求項１記載の温水洗浄便座の補助ラック。
【請求項３】
前記制御装置と前記支え台の前記肘掛けは、固定方式によって接続されることを特徴とする、請求項１記載の温水洗浄便座の補助ラック。
【請求項４】
前記２つの支え台は、前記支え棒の間に折り畳むか又は展開できる２つの連稈を設け、前記２つの支え台を寄せて折り畳むか又は広げて立たせることができ、前記一つの支え台の前記肘掛けは、ヒンジによって前記制御装置に接続することを特徴とする、請求項１請求項１記載の温水洗浄便座の補助ラック。
【請求項５】
前記２つの支え台は、前記支え棒の間に固定方式の連稈が設けられ、前記一つの支え台の前記肘掛けは、ヒンジによって、前記制御装置に接続することを特徴とする、請求項１記載の温水洗浄便座の補助ラック。
【請求項６】
前記２つの支え台は、前記支え棒の間に、折り畳むか又は展開できる２つの連稈を設け、前記２つの支え台を寄せて折り畳むか又は広げて立たせることができ、前記一つの支え台の前記肘掛けは、固定方式によって前記制御装置に接続することを特徴とする、請求項１することを特徴とする、請求項１記載の温水洗浄便座の補助ラック。
【請求項７】
前記２つの支え台は、前記支え棒の間に、固定方式の連稈が設けられ、前記一つの支え台の前記肘掛けと、前記制御装置は固定方式によって前記制御装置に接続されることを特徴とする、請求項１記載の温水洗浄便座の補助ラック。
【請求項８】
前記２つの支え台を前記支え棒の間に取り付けていて、かつ、床の付近場所に２つの対向する足のせが設けられていることを特徴とする、請求項１ないし７項のいずれかの項に記載の補助ラック。
【考案の詳細な説明】
【技術分野】
【０００１】
本考案は、温水洗浄便座の補助ラックに関し、特に温水洗浄便座の両側に架設して、温水洗浄便座の補助ラックに係る。
【背景技術】
【０００２】
従来の起き上がり補助ラックの機能は、行動能力が限られた衰弱者が用を足した後に起き上がるとき適切に掴む補助具として、衰弱者が起き上がる時に、滑って転んで怪我をする等の不慮事故を避けるようになっている。
【考案の概要】
【考案が解決しようとする課題】
【０００３】
しかしながら、従来の起き上がり補助ラックは、便座の両側に架設する幅が固定されている。よって、これを温水洗浄便座に適用した場合は、従来の起き上がり補助ラックの肘掛けが妨げになり、温水洗浄便座の使用空間が制限を受けてしまう。使用者が用を足した後、手で温水洗浄便座の制御装置を起動させるときに、スムーズに押圧できないか、または制御装置の幅が広すぎて、従来の起き上がり補助ラックを温水洗浄便座の両側に架設できない等の問題が発生する。
【課題を解決するための手段】
【０００４】
本考案の目的は、温水洗浄の制御機能を補助ラックに結合させ、使用者がより順調に使用でき、全体の実用性を向上し、温水洗浄便座の補助ラックを提供する。
【０００５】
前述の目的を達成するため、本考案の温水洗浄便座の補助ラックは、２つの支え台と、支え台に取り付ける制御装置とを備える。制御装置を温水洗浄便座と電気接続して、補助ラックから温水洗浄便座の噴水量と温度等の温水洗浄機能を調節制御することができる。そのうち、２つの支え台が釣り合って温水洗浄便座の両側に設けられ、２つの支え台の間に背もたれ具を接続し、かつ、それぞれの支え台の下方側に支え棒を有し、支え棒を肘掛けに接続し、制御装置を肘掛けに取り付け、使用者が温水洗浄便座の温水洗浄機能をよりスムーズに操作できる。
【０００６】
前述の制御装置は、ヒンジまたは固定方式により、支え台の肘掛けに接続されている。
【０００７】
前述の２つの支え台は、支え棒の間に折り畳むか、展開可能な２つの連稈を設け、２つの支え台を寄せて折り畳むか、または広げて立たせることができる。
【０００８】
前述の２つの支え台は、支え棒の間に固定式の連稈が設けられている。
【０００９】
前述の２つの支え台が支え棒の間に取り付けられていて、かつ、床の付近場所に２つの足のせが対向して設けられている。
【図面の簡単な説明】
【００１０】
【図１】本考案の第１の好ましい実施例による立面図である。
【図２】本考案の第１の好ましい実施例による制御装置のひっくり返す態様図である。
【図３】本考案の第２の好ましい実施例による立面図である。
【図４】本考案の第３の好ましい実施例による立面図である。
【図５】本考案の第４の好ましい実施例による立面図である。
【考案を実施するための形態】
【００１１】
以下、添付図面を参照して本考案の実施の形態を詳細に説明する。
【実施例】
【００１２】
図１において、本考案の第１の好ましい実施例による温水洗浄便座の補助ラックの実施図を参照する。２つの支え台１と、支え台１に設ける制御装置５とを備える。
【００１３】
そのうち、２つの支え台１の下方側に支え棒１１を有し、それぞれの支え台１が支え棒１１に肘掛け１２を接続し、肘掛け１２は上向きに支え棒１３を延在し、２つの支え台１の支え棒１３の間に背もたれ具１４を設け、背もたれ具１４が支え棒１３によって、側面方向にひっくり返すことができ、２つの支え台１は支え棒１１の間に折り畳むまたは展開できる２つの連稈１５が設けられ、２つの支え台１は支え棒１１の間に位置していて、かつ、床の付近場所に連稈１６を設け、連稈１６によって、対向に設置する２つの足のせ１７が固定される。
【００１４】
制御装置５は、ヒンジ１２１を介して支え台１の肘掛け１２に接続し、噴水及び噴水量と、温度等の温水洗浄の調節制御機能を有する。
【００１５】
引続き、図２において、制御装置５が支え台１の肘掛け１２をひっくり返す態様図を参照する。使用するときは、制御装置５をひっくり返すことができ、内側の使用スペースが影響されず、使用完了後には、制御装置５を閉めて（図１に示す）、補助ラック１０の外観の全体性及び美観性が維持される。
【００１６】
引続き、図３において、本考案の第２の好ましい実施例による温水洗浄便座の補助ラックの実施図を参照する。２つの支え台２の下方側に支え棒２１を有し、それぞれの支え台２は支え棒２１にて肘掛け２２と接続し、肘掛け２２は上向きに支え棒２３を延在し、２つの支え台２の支え棒２３の間に、背もたれ具２４を設け、背もたれ具２４は、支え棒２３を側面方向にひっくり返すことによって、２つの支え台２が支え棒２１の間に位置し、かつ、床の付近場所に連稈２６を設け、連稈２６によって、固定される２つの足のせ２７を対向して設置し、制御装置５は、ヒンジ２２１を介して支え台２の肘掛け２２に接続する。ただし、補助ラック２０と図１に示す補助ラック１０と構造上の異なる点は、補助ラック２０の２つの支え台２が支え棒２１の間に固定式の連稈２５を設けることによって、２つの支え台２を固定した幅によって、温水洗浄便座６の両側に立たせるのに対して、図１に示す補助ラック１０は、２つの連稈１５によって、折り畳むか又は展開して、２つの支え台１を寄せて折り畳む、収納または広げて立たせ、釣り合って温水洗浄便座６の両側に設ける。このほか、補助ラック２０の制御装置５も同じく、図２に示すように、支え台２の肘掛け２２をひっくり返して使用できる。第１と第２の好ましい実施例による補助ラック（１０，２０）の制御装置５は、温水洗浄便座６と電気接続し、これにより、温水洗浄便座６の噴水及び噴水量と温度等の温水洗浄機能を起動または停止することができる。
【００１７】
引続き、図４において、本考案の第３の好ましい実施例による温水洗浄便座の補助ラックの実施図を参照する。補助ラック３０と図１に示す補助ラック１０の構造は同じであり、すなわち、２つの支え台３の下方側に支え棒３１を有し、それぞれの支え台３は支え棒３１にて肘掛け３２と接続し、肘掛け３２は上向きに支え棒３３を延在し、２つの支え台３の支え棒３３の間に、支え棒３３に沿って、側面方向にひっくり返す背もたれ具３４が設けられ、２つの支え台３は支え棒３１の間に折り畳むか又は展開できる２つの連稈３５を設け、２つの支え台３は支え棒３１の間に、連稈３６と、該連稈３６によって２つの足のせ３７が固定される。ただし、２つの補助ラック（１０，３０）と構造の異なる点は、補助ラック３０の支え台３の肘掛け３２と、制御装置５´との接続は、固定方式によって、肘掛け３２の外側に接続され、一方、補助ラック１０は、ヒンジ１２１によって、接続されている。
【００１８】
引続き、図５において、本考案の第４の好ましい実施例による温水洗浄便座の補助ラックの実施図を参照する。２つの支え台４の下方側に支え棒４１を有し、それぞれの支え台４は支え棒４１にて肘掛け４２と接続し、肘掛け４２は上向きに支え棒４３を延在しており、２つの支え棒４３の間に、支え棒４３に沿って、側面方向にひっくり返す背もたれ具４４を設け、２つの支え台４は支え棒４１の間に、連稈４６と、該連稈４６によって固定される２つの足のせ２７を設置し、制御装置５´と支え台と、支え台４の肘掛け４２との接続は、固定方式によって、肘掛け４２に接続する。ただし、補助ラック４０と図４に示す補助ラック３０と構造の異なる点は、補助ラック４０の２つの支え台４は支え棒４１の間に、固定式の連稈４５を設けることによって、２つの支え台４を固定した幅で、温水洗浄便座６の両側に立たせており、図４に示す補助ラック３０は、２つの連稈３５によって、折り畳むまたは展開して、２つの支え台３を寄せて折り畳む、収納または広げて立たせて、釣り合って温水洗浄便座６の両側に設ける。第３と第４の好ましい実施例による補助ラック（３０，４０）の固定式制御装置５´は、温水洗浄便座６と電気接続し、これにより、温水洗浄便座６の噴水及び噴水量と、温度等の温水洗浄機能起動または停止することができる。
【００１９】
前記説明の通り、本考案が従来技術の不足点と欠点を解決し得る主な技術手段は、制御装置（５，５）を補助ラック（１０，２０，３０，４０）の肘掛け（１２，２２，  ３２，４２）に設けて、温水洗浄便座６に電気接続すれば、温水洗浄機能を補助ラック（１０，２０，３０，４０）に結合する目的を達成し、使用者が補助ラック（１０，２０，３０，４０）を使用すると同時に、温水洗浄便座６の温水洗浄機能を操作でき、使用者にスムーズな利用を提供し、全体の実用性を向上させ、本考案に多機能効果を持つことができる。
【符号の説明】
【００２０】
１０、２０、３０、４０   補助ラック
１、２、３、４           支え台
１１、２１、３１、４１   支持棒
１２、２２、３２、４２   肘掛け
１２１、２２１           ヒンジ
１３、２３、３３、４３   支え棒
１４、２４、３４、４４   背もたれ具
１５、２５、３５、４５   連稈
１６、２６、３６、４６   連稈
１７、２７、３７、４７   足のせ
５、５´                 制御装置
６、                     温水洗浄便座
【図１】
0003206513.tif 000003
【図２】
0003206513.tif 000004
【図３】
0003206513.tif 000005
【図４】
0003206513.tif 000006
【図５】
0003206513.tif 000007
【手続補正書】
【提出日】平成28年7月15日(2016.7.15)
【手続補正１】
【補正対象書類名】実用新案登録請求の範囲
【補正対象項目名】請求項４
【補正方法】変更
【補正の内容】
【請求項４】
前記２つの支え台は、前記支え棒の間に折り畳むか又は展開できる２つの連稈を設け、前記２つの支え台を寄せて折り畳むか又は広げて立たせることができ、前記一つの支え台の前記肘掛けは、ヒンジによって前記制御装置に接続することを特徴とする、請求項１記載の温水洗浄便座の補助ラック。
【手続補正２】
【補正対象書類名】実用新案登録請求の範囲
【補正対象項目名】請求項６
【補正方法】変更
【補正の内容】
【請求項６】
前記２つの支え台は、前記支え棒の間に、折り畳むか又は展開できる２つの連稈を設け、前記２つの支え台を寄せて折り畳むか又は広げて立たせることができ、前記一つの支え台の前記肘掛けは、固定方式によって前記制御装置に接続することを特徴とする、請求項１記載の温水洗浄便座の補助ラック。
【手続補正３】
【補正対象書類名】実用新案登録請求の範囲
【補正対象項目名】請求項７
【補正方法】変更
【補正の内容】
【請求項７】
前記２つの支え台は、前記支え棒の間に、固定方式の連稈が設けられ、前記一つの支え台
の前記肘掛けと、前記制御装置は固定方式によって接続されることを特徴
とする、請求項１記載の温水洗浄便座の補助ラック。